【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
ゴルフクラブのシャフトで使用するグリップであって、該グリップは
弾力性のあるアンダーリスティングスリーブ、及び
外表面を画定しかつ切り出し部に外接する第一の部分と、該切り出し部の内部に配置されかつ外表面を含む挿入部とを含む外表面を含むパネルを含んでなり、該第一の部分の外表面と該挿入部の外表面が該パネルの外表面を構成し、かつ、
該パネルの外表面が該グリップの外表面を画定するように、該パネルが該アンダーリスティングスリーブに取付けられているグリップ。
【請求項２】
請求項１に記載されたグリップであって、該挿入部と該第一の部分が異なるジュロメーター硬度の材料を含んでなるグリップ。
【請求項３】
請求項１または２に記載されたグリップであって、該挿入部と該第一の部分が異なる配色を含んでなるグリップ。
【請求項４】
請求項１〜３のいずれか１項に記載されたグリップであって、該パネルがさらにトップ側部、ボトム側部、第一の実質的に垂直な側部および第二の実質的に垂直な側部を含み、該第一と第二の側部が接合されて実質的に垂直な継ぎ目を形成するように、該パネルが該アンダーリスティングスリーブのまわりに巻かれているグリップ。
【請求項５】
請求項１〜４のいずれか１項に記載されたグリップであって、さらに該切り出し部と該挿入部の間に接着剤の付着物を含んでなるグリップ。
【請求項６】
請求項１〜５のいずれか１項に記載されたグリップであって、さらに該切り出し部と該挿入部の間に少なくとも２つの異なる接着剤の付着物を含んでなるグリップ。
【請求項７】
請求項１〜６のいずれか１項に記載されたグリップであって、該パネルが該アンダーリスティングスリーブに接着されているグリップ。
【請求項８】
請求項１〜７のいずれか１項に記載されたグリップであって、該グリップの外表面がさらに摩擦を大きくする模様を含んでなるグリップ。
【請求項９】
外表面を含みかつゴルフクラブのシャフトで使用するグリップの生産方法であって、該方法は次の工程、すなわち：
弾力性のあるアンダーリスティングスリーブを提供する；
外表面を含むシートを提供する；
該シート内に切り出し部を形成し、該シートが該切り出し部に外接する第一の部分を含むようにする；
外表面を含む挿入部を提供する；
該切り出し部の内部で該挿入部の位置をあわせる；
該シートの外表面が該グリップの外表面の一部を画定するように、該シートを該アンダーリスティングスリーブに取り付ける；
該挿入部の外表面が該グリップの外表面の一部を画定するように、該挿入部を該アンダーリスティングスリーブに取り付けることを含んでなる方法。
【請求項１０】
請求項９に記載された方法であって、さらに次の工程、すなわち：
該シートと該挿入部を接合してパネルを形成すること、そして
該パネルを該アンダーリスティングスリーブに取り付けて、それによって該シートと該挿入部を該アンダーリスティングスリーブに取り付けることを含んでなる方法。
【請求項１１】
請求項９または１０に記載された方法であって、シートと挿入部を提供する該工程がさらに異なるジュロメーター硬度の材料を含むシートと挿入部を提供することを含んでなる方法。
【請求項１２】
請求項９〜１１のいずれか１項に記載された方法であって、シートと挿入部を提供する該工程がさらに異なる配色を含むシートと挿入部を提供することを含んでなる方法。
【請求項１３】
請求項９〜１２のいずれか１項に記載された方法であって、該シートがさらにトップ側部、ボトム側部、第一の実質的に垂直な側部および第二の実質的に垂直な側部を含み、該方法がさらに次の工程、すなわち：
該第一と第二の側部が接合されて実質的に垂直な継ぎ目を形成するように、該シートを該アンダーリスティングスリーブのまわりに巻くことを含んでなる方法。
【請求項１４】
請求項１３に記載された方法であって、さらに次の工程、すなわち：
該継ぎ目に沿って、該垂直側部を接着することを含んでなる方法。
【請求項１５】
請求項９〜１４のいずれか１項に記載された方法であって、さらに次の工程、すなわち：
該切り出し部と該挿入部の間に接着剤を提供することを含んでなる方法。
【請求項１６】
請求項９〜１５のいずれか１項に記載された方法であって、さらに次の工程、すなわち：
該切り出し部と該挿入部の間に第一の接着剤を提供すること、そして
該切り出し部と該挿入部の間に第二の接着剤を提供することを含んでなる方法。
【請求項１７】
請求項９〜１６のいずれか１項に記載された方法であって、該シートと挿入部をアンダーリスティングスリーブに取り付ける工程がさらに、該シートと該挿入部を該スリーブに接着することを含んでなる方法。
【請求項１８】
請求項９〜１７のいずれか１項に記載された方法であって、さらに次の工程、すなわち：
該グリップの外表面に摩擦を大きくする模様を形成することを含んでなる方法。
【請求項１９】
ゴルフクラブのシャフトで使用するグリップであって、該グリップは
弾力性のあるアンダーリスティングスリーブ、及び
切り出し部を画定する第一の部分と、該切り出し部に隣接する挿入部と、少なくとも該切り出し部と該挿入部の間の交差部の一部に沿った窪んだ溝とを含むパネルを含み、そして
該パネルが該アンダーリスティングスリーブに取り付けられているグリップ。
【請求項２０】
請求項１９に記載されたグリップであって、該溝が溶かされたグリップ。
【請求項２１】
請求項１９または２０に記載されたグリップであって、該溝がさらにポリウレタンの付着物を含んでなるグリップ。
【請求項２２】
請求項１９〜２１のいずれか１項に記載されたグリップであって、該挿入部と該第一の部分が異なるジュロメーター硬度の材料を含んでなるグリップ。
【請求項２３】
請求項１９〜２２のいずれか１項に記載されたグリップであって、該挿入部と該第一の部分が異なる配色を含んでなるグリップ。
【請求項２４】
請求項１９〜２３のいずれか１項に記載されたグリップであって、該パネルがさらにトップ側部、ボトム側部、第一の実質的に垂直な側部および第二の実質的に垂直な側部を含み、該第一と第二の側部が接合されて実質的に垂直な継ぎ目を形成するように、該パネルが該アンダーリスティングスリーブのまわりに巻かれているグリップ。
【請求項２５】
請求項２４に記載されたグリップであって、該継ぎ目がさらに溝を含んでなるグリップ。
【請求項２６】
請求項２５に記載されたグリップであって、該継ぎ目に沿った溝がさらにポリウレタンの付着物を含んでなるグリップ。
【請求項２７】
請求項２４〜２６のいずれか１項に記載されたグリップであって、該垂直な側部が接着剤によって接合されているグリップ。
【請求項２８】
請求項１９〜２７のいずれか１項に記載されたグリップであって、さらに該切り出し部と該挿入部の間に接着剤の付着物を含んでなるグリップ。
【請求項２９】
請求項１９〜２８のいずれか１項に記載されたグリップであって、さらに該切り出し部と該挿入部の間に少なくとも２つの異なる接着剤の付着物を含んでなるグリップ。
【請求項３０】
請求項１９〜２９のいずれか１項に記載されたグリップであって、該パネルが該アンダーリスティングスリーブに接着されているグリップ。
【請求項３１】
請求項１９〜３０のいずれか１項に記載されたグリップであって、該グリップがさらに摩擦を大きくする模様を含む外表面を含んでなるグリップ。
【請求項３２】
ゴルフクラブのシャフトで使用するグリップの生産方法であって、該方法は次の工程、すなわち：
弾力性のあるアンダーリスティングスリーブを提供する；
シートを提供する；
該シート内に切り出し部を形成する；
挿入部を提供する；
該挿入部の位置をあわせて、該切り出し部に隣接するようにする；
少なくとも該切り出し部と該挿入部の間の交差部の一部に沿った窪んだ溝を形成する；
該シートを該アンダーリスティングスリーブに取り付ける；そして
該挿入部を該アンダーリスティングスリーブに取り付けることを含んでなる方法。
【請求項３３】
請求項３２に記載された方法であって、さらに次の工程、すなわち：
該シートと該挿入部を接合してパネルを形成すること、そして
該パネルを該アンダーリスティングスリーブに取り付けて、それによって該シートと該挿入部を該アンダーリスティングスリーブに取り付けることを含んでなる方法。
【請求項３４】
請求項３２または３３に記載された方法であって、該溝を形成する工程がさらに熱を利用して該シートと該挿入部の一部を溶かすことを含んでなる方法。
【請求項３５】
請求項３２〜３４のいずれか１項に記載された方法であって、さらに次の工程、すなわち：
少なくとも該溝部分に沿ってポリウレタンの付着物を提供することを含んでなる方法。
【請求項３６】
請求項３２〜３５のいずれか１項に記載された方法であって、シートと挿入部を提供する該工程がさらに異なるジュロメーター硬度の材料を含むシートと挿入部を提供することを含んでなる方法。
【請求項３７】
請求項３２〜３６のいずれか１項に記載された方法であって、シートと挿入部を提供する該工程がさらに異なる配色を含むシートと挿入部を提供することを含んでなる方法。
【請求項３８】
請求項３２〜３７のいずれか１項に記載された方法であって、該シートがさらにトップ側部、ボトム側部、第一の実質的に垂直な側部および第二の実質的に垂直な側部を含み、該方法がさらに次の工程、すなわち：
該第一と第二の側部が接合されて実質的に垂直な継ぎ目を形成するように、該シートを該アンダーリスティングスリーブのまわりに巻くことを含んでなる方法。
【請求項３９】
請求項３８に記載された方法であって、さらに次の工程、すなわち：
該継ぎ目に沿って、該垂直側部を接着することを含んでなる方法。
【請求項４０】
請求項３２〜３９のいずれか１項に記載された方法であって、さらに次の工程、すなわち：
該切り出し部と該挿入部の間に接着剤を提供することを含んでなる方法。
【請求項４１】
請求項３２〜４０のいずれか１項に記載された方法であって、さらに次の工程、すなわち：
該切り出し部と該挿入部の間に第一の接着剤を提供すること、そして
該切り出し部と該挿入部の間に第二の接着剤を提供することを含んでなる方法。
【請求項４２】
請求項３２〜４１のいずれか１項に記載された方法であって、該シートと挿入部をアンダーリスティングスリーブに取り付ける工程がさらに、該シートと該挿入部を該スリーブに接着することを含んでなる方法。
【請求項４３】
請求項３２〜４２のいずれか１項に記載された方法であって、該グリップがさらに外表面を含み、そして該方法がさらに次の工程、すなわち：
該グリップの外表面に摩擦を大きくする模様を形成することを含んでなる方法。
【請求項４４】
ゴルフクラブのシャフトで使用するグリップの生産方法であって、該方法は次の工程、すなわち：
アンダーリスティングスリーブを提供する；
第一の裏地シートを提供する；
第二のシートを提供する；
該第二シート内に切り出し部を形成する；
挿入部を提供する；
該第一裏地シートの上に該第二シートと該挿入部を配列する；
該切り出し部と該挿入部の間の交差部に沿って、該第二シートと該挿入部を接合して、パネルを画定する；
該第一裏地シートを取り外す；そして
該パネルを該アンダーリスティングスリーブに取り付けることを含んでなる方法。
【請求項４５】
請求項４４に記載された方法であって、第二のシートと挿入部を提供する該工程がさらに異なるジュロメーター硬度の材料を含むシートと挿入部を提供することを含んでなる方法。
【請求項４６】
請求項４４または４５に記載された方法であって、第二のシートと挿入部を提供する該工程がさらに異なる配色を含むシートと挿入部を提供することを含んでなる方法。
【請求項４７】
請求項４４〜４６のいずれか１項に記載された方法であって、該パネルがさらにトップ側部、ボトム側部、第一の実質的に垂直な側部および第二の実質的に垂直な側部を含み、該方法がさらに次の工程、すなわち：
該第一と第二の側部が接合されて実質的に垂直な継ぎ目を形成するように、該パネルを該アンダーリスティングスリーブのまわりに巻くことを含んでなる方法。
【請求項４８】
請求項４７に記載された方法であって、さらに次の工程、すなわち：
該継ぎ目に沿って、該垂直側部を接着することを含んでなる方法。
【請求項４９】
請求項４４〜４８のいずれか１項に記載された方法であって、さらに次の工程、すなわち：
該切り出し部と該挿入部の間に接着剤を提供することを含んでなる方法。
【請求項５０】
請求項４４〜４９のいずれか１項に記載された方法であって、さらに次の工程、すなわち：
該切り出し部と該挿入部の間に第一の接着剤を提供すること、そして
該切り出し部と該挿入部の間に第二の接着剤を提供することを含んでなる方法。
【請求項５１】
請求項４４〜５０のいずれか１項に記載された方法であって、該パネルをアンダーリスティングスリーブに取り付ける工程がさらに、該パネルを該スリーブに接着することを含んでなる方法。
【請求項５２】
請求項４４〜５１のいずれか１項に記載された方法であって、該グリップがさらに外表面を含み、そして該方法がさらに次の工程、すなわち：
該グリップの外表面に摩擦を大きくする模様を形成することを含んでなる方法。